(57)【特許請求の範囲】
【請求項１】
浴室ユニットの天井パネルと壁パネルとの隙間を塞ぐ樹脂製の天井目地材において、一端が前記天井パネルと、他端が前記壁パネルとそれぞれ当接し、前記隙間を止水する頭部と、前記頭部から突出して前記天井パネルと前記壁パネルの隙間に沿って前記壁パネルの厚さ方向に前記壁パネルの上端部に接するように嵌め込まれる板状の差込部を有し、
前記差込部において奥行き方向後端側に表面上部止水ヒレと表面下部止水ヒレを設けて前記頭部を構成し、前記差込部において奥行き方向先端上部側に先端上面ヒレを備え、前記差込部の奥行き方向先端下部側に前記壁パネルの上端部の奥側端と係合する係合ヒレを備え、前記差込部において前記表面上部止水ヒレと前記先端上面ヒレとの間に中央上面ヒレを備え、
前記差込部において前記表面下部止水ヒレと前記係合ヒレとの間に中央底面ヒレを備えるとともに、前記差込部の底面側に前記中央底面ヒレの一部若しくは全てを収納するための溝型の中央底面ヒレ収納部を設けたことを特徴とする天井目地材。
【請求項２】
前記表面上部止水ヒレと前記中央上面ヒレと前記先端上面ヒレがいずれも前記係合ヒレと中央底面ヒレよりも長く形成されたことを特徴とする請求項１記載の天井目地材。
【請求項３】
前記中央上面ヒレと前記先端上面ヒレと前記中央底面ヒレと前記係合ヒレがいずれも前記差込部の後端側に傾斜されたことを特徴とする請求項１乃至請求項２記載の天井目地材。
【発明の詳細な説明】
【技術分野】
【０００１】
本発明は、浴室ユニットの天井パネルと壁パネルとの隙間を塞ぐ天井目地材に関するものである。
【背景技術】
【０００２】
従来、浴室ユニットの天井パネルと壁パネルには接続方法や組立逃げ寸法上隙間を設ける必要があり、その隙間を塞ぎ外観の向上と防水性能を得るために、隙間にコーキング材の充填や目地材の打込み等を行なっている。
【０００３】
浴室ユニットの天井パネルと壁パネルの隙間を塞ぐ方法として、シリコン等のコーキング材を使用する場合には、マスキング作業、充填作業、仕上げ作業及び充填後の養生期間が必要であり、完了するまでに多くの工程と時間が必要であり、施工者の熟練度合いにより仕上がりや防水性能にばらつきがでる等の問題点があった。
【０００４】
また、この種、天井パネルと壁パネルの接合構造として、天井パネルと壁パネルが構成する凹所の底部側にネジ具を固定し、凹所内にネジ具により結合片を固定し、凹所の開口部側に結合片の頭部に嵌め込み支持されるように横断面コ字型の樹脂製の天井廻し縁を嵌め込み、この天井廻し縁に隙間シールのための軟質のヒレ片を一体成形した構造が提案されている。（特許文献１、図１参照）
【先行技術文献】
【特許文献】
【０００５】
【特許文献１】特開２００８−２９１６１３号公報
【発明の概要】
【発明が解決しようとする課題】
【０００６】
シリコン等のコーキング方法の問題を解決するために、特許文献１の図１に開示されている技術では、天井目地材を固定するための結合片を設け、さらにその結合片を天井パネルと壁パネルの隙間に装着させることにより、結合片に天井目地材を含めた隙間幅が必要となり、天井目地の幅が広くなり、当然天井目地材の浴室ユニット側の幅はそれ以上広がり、外観をスマートに見せることができないばかりか、部材点数及び使用材料量が増加するなどの問題点があった。
【０００７】
また、特許文献１の図４には、天井パネルと壁パネルが構成する凹所に嵌り込む幅広の天井回し縁が記載されている。
特許文献１の図４に開示されている技術では、天井目地材の固定力が天井パネルと壁パネルとの摩擦力によるものであり、隙間幅のばらつきによっては固定力が発揮できず打込みの反発力や使用中の衝撃、振動等により天井目地材の緩みや浮きが発生する。また、隙間に打込む力にばらつきが起きることにより、外観に波打ちなどが現れ、美観が損なわれるなどの問題があった。
即ち、一例として図５に示す如く、壁パネル５と天井パネル６との接合部分である目地部７の凹所７ａに弾性樹脂からなる目地材８を嵌め込むことにより目地を形成することができる。この目地材８には弾性ヒレ８ａが上面側と下面側に複数突出させて形成されている。目地材８は、弾性ヒレ８ａを弾性変形させて目地部７の凹所７ａに嵌め込むことで抜け止めした構造を実現することができる。
しかし、図５に示す抜け止め構造とした目地材８にあっても、壁パネル５と天井パネル６の上下位置のばらつきにより、目地部７の隙間幅にばらつきが生じると、目地材８の抜け止め力が減少するので、使用中の衝撃、振動等により天井目地材の緩みや浮きが発生する問題がある。
【０００８】
本発明は前記の従来の問題点に鑑みてなされたものであって、天井パネルと壁パネルの隙間を狭くし外観をスマートに見せる天井目地材を、新たに設けた固定部材を使用することなく確実に天井パネルと壁パネルの隙間に固定できて、確実な止水性能を有する天井目地材を提供することを目的とする。
さらに、本発明は、天井パネルと壁パネルの隙間のばらつきがあっても、確実に天井パネルと壁パネルの隙間に固定できて、天井目地材の緩みや浮きがなく、外観の美観を確保し、確実な止水性能を有する天井目地材を提供することにある。
【課題を解決するための手段】
【０００９】
本発明は、前記課題を解決するために以下の構成を有する。
（１）本発明の天井目地材は、浴室ユニットの天井パネルと壁パネルとの隙間を塞ぐ樹脂製の天井目地材において、一端が前記天井パネルと、他端が前記壁パネルとそれぞれ当接し、前記隙間を止水する頭部と、前記頭部から突出して前記天井パネルと前記壁パネルの隙間に沿って前記壁パネルの厚さ方向に前記壁パネルの上端部に接するように嵌め込まれる板状の差込部を有し、前記差込部において奥行き方向一端側に表面上部止水ヒレと表面下部止水ヒレを設けて前記頭部を構成し、前記差込部の先端上部側に先端上面ヒレを備え、前記差込部の先端下部側に前記壁パネルの上端部の奥側端と係合する係合ヒレを備え、前記差込部において前記表面上部止水ヒレと前記先端上面ヒレとの間に中央上面ヒレを備え、前記差込部において前記表面下部止水ヒレと前記係合ヒレとの間に中央底面ヒレを備えるとともに、前記差込部の底面側に前記中央底面ヒレの一部若しくは全てを収納するための溝型の中央底面ヒレ収納部を設けたことを特徴とする。
この構造により、目地材本体の厚みを低減でき、狭い隙間でも対応可能になり意匠面が向上する。
この構造により、天井目地を係合する壁パネル上端部に凹凸や変形が有っても前記係合ヒレと前記止水ヒレが前記天井パネルと前記壁パネルに追随することができ、又前記止水ヒレの一部若しくは全てを収納するための凹部により、目地材底面に凹凸の発生を抑制し、係合ヒレと壁パネル上端部の係合を確実にする構造となっている。
（２）本発明の天井目地材は、前記表面上部止水ヒレと前記中央上面ヒレと前記先端上面ヒレがいずれも前記係合ヒレと中央底面ヒレよりも長く形成されたことを特徴とする。
この構造により、挿入時前記押さえヒレの反発力にて係合ヒレが押され、係合ヒレと壁パネルの上端部を確実に係合させることにより、目地材取り付け時の衝撃・使用時の振動等による目地材の浮き・外れを防ぎ、十分な止水性を確保することができる。
（３）本発明の天井目地材は、前記中央上面ヒレと前記先端上面ヒレと前記中央底面ヒレと前記係合ヒレがいずれも前記差込部の先端側から後端側に向いて傾斜するように立設されたことを特徴とする。  
【発明の効果】
【００１０】
本発明によれば、天井パネルと壁パネルの隙間に天井目地材を固定させる部材を設けないことで、天井パネルと壁パネルの隙間を狭くすることにより、天井目地材の浴室側止水部の幅を狭くし、よりスマートな外観を提供すると共に、壁パネルに天井目地材の係合ヒレを係合させることにより、より確実に天井目地材を固定することで確実に止水機能を確保出来る。
【００１１】
又、壁パネルに天井目地材の係合ヒレを係合させて天井目地材を固定する為、天井パネルと壁パネルの摩擦力を利用する固定方法に対して、天井パネルと壁パネルの隙間のばらつきに追随することができ、また、壁パネル上端部の変形に追随するヒレを有することにより、打込み作業性の向上を図ると共に、緩みや浮きがない美観を確保した外観を提供することが出来る。
天井パネルと壁パネルの隙間が左右で相違し、天井目地材の係合ヒレと係合する壁パネル上端部の寸法が変化しても、同じ外観幅の天井目地材とすることができる。
即ち、壁パネル上端部に凹凸や変形が有っても、係合ヒレと表面下部止水ヒレが壁パネルの上端部に差込部を確実に沿わせ、差込部底面の中央底面ヒレが壁パネル上端部の凹凸や変形に追従して壁パネル上端部に密着するため、表面上部止水ヒレと中央上面ヒレと先端上面ヒレをいずれも天井パネルに確実に追随させることができる。
また、前記中央底面ヒレの一部若しくは全てを収納するための中央底面ヒレ収納部により、目地材底面に凹凸の発生を抑制し、係合ヒレと壁パネル上端部の係合を確実にする構造となる。
【図面の簡単な説明】
【００１２】
【図１】本発明に係る天井目地材の第１実施形態を示す図である。
【図２】本発明に係る天井目地材の通常使用状態を示す斜視図である。
【図３】本発明に係る天井目地材の通常使用状態を示す断面図である。
【図４】本発明に係る天井目地材の差込部の寸法変化時仕様状態を示す断面図である。
【図５】天井目地材の従来品の使用状態を示す断面図である。
【図６】本発明に係る天井目地材の他の例を示す断面図である。
【発明を実施するための形態】
【００１３】
以下に本発明に係る浴室ユニットの天井パネルと壁パネルとの隙間を塞ぐ天井目地材の第１実施形態について説明する。なお、この第１実施形態は、発明の趣旨をより良く理解させるために具体的に説明するものであり、特に指定のない限り、本発明を限定するものではない。
図１は、本発明に係わる天井目地材１の一実施形態を示す断面図である。本実施形態の天井目地材１の材質は、塩化ビニール、ＡＢＳ樹脂、ポリプロピレン、エラストマー等の熱可塑性樹脂からなり、押出し成形方法によって成形される。
【００１４】
図１において本実施形態の天井目地材１は、一端が天井パネル２に他端が壁パネル３に当接するための頭部１Ａを有し、頭部１Ａから右側に差込部１ｂが延出形成され、差込部１ｂにおいて、左端部一側に表面上部止水ヒレ１ａが一体形成され、左端部の他側（底面側）に表面下部止水ヒレ１ｆが一体成形されるとともに、差込部１ｂの上面部に中央上面ヒレ（押さえヒレ）１ｄが一体成形され、差込部１ｂの右端部一側に先端上面ヒレ（押さえヒレ）１ｇが一体成形され、差込部１ｂの底面中央部に中央底面ヒレ（止水ヒレ）１ｅが一体成形され、差込部１ｂの右端部底面側に係合ヒレ１ｃが一体成形されている。
本実施形態の天井目地材１において、表面上部止水ヒレ１ａと表面下部止水ヒレ１ｆにより頭部１Ａが形成されている。また、中央底面ヒレ（押さえヒレ）１ｅの基端部側に位置する差込部１ｂの底面部分には溝型の中央底面ヒレ収納部１ｈが形成されている。
【００１５】
本実施形態の天井目地材１において、その全体を硬質及び、半硬質、軟質になるように樹脂で成形でき、また、目地中央部の差込部１ｂを硬質及び、半硬質とし、係合ヒレ１ｃ、表面上部止水ヒレ１ａ、表面下部止水ヒレ１ｆ、中央上面ヒレ１ｄ、先端上面ヒレ１ｇ、中央底面ヒレ１ｅを軟質とするなど、異素材・異硬度の樹脂を組合せて成形することができる。
【００１６】
図１は、天井目地材１をその一部で横断面視した状態を示すので、図１の紙面垂直方向に差込部１は延在されており、この差込部１を設置環境に合わせて必要な長さに切断する（図１の紙面に平行な面で切断する）ことで実際の設置位置に対応する長さに天井目地材１が形成される。差込部１に形成されている各ヒレについても図１の紙面垂直方向の長さは、差込部１と基本的に同等長さに切断して使用される。
また、差込部１ｂは後述する如く天井パネル２と壁パネル３の隙間の部分に嵌め込まれるので、この隙間よりも薄い板状に形成されている。表面上部止水ヒレ１ａと中央上面ヒレ１ｄと先端上面ヒレ１ｇは、いずれも、差込部１ｂの上面に対し傾斜するように立設され、差込部１ｂの先端側（図１の右端側）から後端側（左端側）に傾斜するように配置されている。表面下部止水ヒレ１ｆは差込部１ｂの左端部底面から下方に向いて傾斜するように立設され、差込部１ｂの先端側に向いて湾曲する（横断面視円弧状に下向きの凸型に湾曲する）ように延出されている。係合ヒレ１ｃと中央底面ヒレ１ｅは、差込部１ｂの底面側において差込部１ｂの先端側から後端側に向いて傾斜するように下向きに立設されている。表面上部止水ヒレ１ａと中央上面ヒレ１ｄと先端上面ヒレ１ｇと表面下部止水ヒレ１ｆは、いずれも、係合ヒレ１ｃと中央底面ヒレ１ｅよりも長く形成されている。
【００１７】
本実施形態の天井目地材１の通常使用状態を図２に示す。
図２に示す如く浴室ユニットＡにおいて、天井目地材１は天井パネル２と壁パネル３、３Ａとの隙間に使用し、壁パネル３、３Ａの上部と天井パネル２との隙間を埋める構造となる。壁パネル３、３Ａは特に規定されないが、図２の例では壁パネル３側に洗面台１０や鏡体１１が設置されており、壁パネル３Ａ側に窓部１２が設置され、壁パネル３と壁パネル３Ａとのコーナー部分に沿って浴槽１３が配置されている。従って、図２の例では窓側の壁パネル３Ａと天井パネル２との隙間部分に天井目地材１が配置され、洗面台１０側の壁パネル３と天井パネル２との隙間部分に天井目地材１が配置されている。
【００１８】
本実施形態の天井目地材１の通常使用状態断面図を図３に示す。
図３に示す如く天井目地材１を適当な長さ（設置するべき壁パネル３あるいは壁パネル３Ａの幅に合わせた長さ）に切断し、天井目地材１の先端の差込部１ｂより、壁パネル３の上部へ挿入することにより固定される。壁パネル３は、この実施形態では前面板３ｂとその裏面側に設置された壁フレーム３ｃとを具備してなり、前面板３ｂの上端部３ｄが表面側から裏面側に回り込むように湾曲されて壁パネル３の上面を構成している。この上端部３ｄに沿って図３に示す如く差込部１ｂを天井パネル２と壁パネル３の間に差し込んでゆくと、係合ヒレ１ｃが壁パネル３の上端部３ｄの奥側端を通過してその裏側に回り込むので、上端部３ｄの上面に沿って天井パネル２との間に天井目地材１を設置することができる。
なお、図３において符号３ｆは壁パネル３の壁フレーム３ｃに対して支持枠片３ｇを固定したネジ部材であり、このネジ部材３ｆにより壁フレーム３ｃに固定した支持枠片３ｇを壁パネル３ｃの上方に延在するように配置することにより、天井パネル２の端部を受けるための受部３ｈが形成されている。
【００１９】
天井目地材１の係合ヒレ１ｃと壁パネル３の上端部３ｄにより天井目地材１を係合すると中央上面ヒレ１ｄ、先端上面ヒレ１ｇの変形反発力にて差込部１ｂが、壁パネル３の上端部３ｄに押しつけられ、係合ヒレ１ｃが壁パネル上端部３ｄの奥側端に係合固定される。この係合で、壁が衝撃・荷重により動いても天井目地材１が壁パネル３と同調し簡単に外れることはない。
表面上部止水ヒレ１ａは、天井パネル２に接することで止水を行う。表面下部止水ヒレ１ｆは、壁パネル３の前面板３ｂの表面に接することで、止水を行う。
中央底面ヒレ１ｅは、図３に示す如く壁パネル３の上端部３ｄに追随することで、二次止水機能を有している。壁パネル３の上端部３ｄに波打ちが発生した場合でも、中央底面ヒレ１ｅが差込部１ｂの底面側から突出して壁パネル３の上端部３ｄの波打ち部の低い部分にも高い部分にも追随することで良好な止水性を確保できる。また、差込時に中央底面ヒレ１ｅにより差込部１ｂに段差が発生すると、係合ヒレ１ｃが、壁パネル３の上端部３ｄと係合しにくい場合がある為、中央底面ヒレ収納部１ｈを設けて、差込部１ｂに段差が発生しないように、中央底面ヒレ１ｅを収納することができるようになっている。
【００２０】
天井目地材１の差込部１ｂの寸法が変化した状態の断面図を図４に示す。この例の場合、壁パネル４の前面板４ｂの前後位置や壁フレーム４ｃの寸法変化で壁パネル４と天井パネル２の隙間が変化しても、表面上部止水ヒレ１ａ、中央上面ヒレ１ｄ、先端上面ヒレ１ｇが変形することにより天井パネル２に追随し対応できる。また、壁パネル４の上端部４ｄが成形時に寸法が変化し系合位置が前後しても、表面下部止水ヒレ１ｆが壁パネル４側方向に曲線形状となっている為、表面下部止水ヒレ１ｆが壁パネル４の前面板４ｂに追随して確実に密着し、良好な止水性を確保できる。
【００２１】
図６は、本発明に係わる天井目地材の第２実施形態を示すもので、この第２実施形態の天井目地材２０は、壁パネル３の上端部３ｄの形状に大きな変形が無い場合は、図６に示す通りであり、図１に示す実施形態に設けられていた中央底面ヒレ１ｅと中央底面ヒレ収納部１ｈを無くすことにより、差込部２０ｂの係合性を向上させることも可能である。
なお、この実施形態の天井目地材２０において、表面上部止水ヒレ２０ａと中央上面ヒレ２０ｄと先端上面ヒレ２０ｇと係合ヒレ２０ｃと表面下部止水ヒレ２０ｆが形成されている点は先の天井目地材１と同等である。
【符号の説明】
【００２２】
１…天井目地材、１Ａ…頭部、１ａ…表面上部止水ヒレ、１ｂ…差込部、１ｃ…係合ヒレ、１ｄ…中央上面ヒレ（止水押さえヒレ）、１ｅ…中央底面ヒレ（止水ヒレ）、１ｆ…表面下部止水ヒレ、１ｇ…先端上面ヒレ（止水押さえヒレ）、１ｈ…中央底面ヒレ収納部、２０…天井目地材、２０ａ…表面上部止水ヒレ、２０ｂ…差込部、２０ｃ…係合ヒレ、２０ｄ…中央上面ヒレ、２０ｆ…表面下部止水ヒレ、２０ｇ…先端上面ヒレ、３…壁パネル、３ｂ…前面板、３ｃ…壁フレーム、３ｄ…上端部、３ｇ…支持枠片、３ｈ…受部、４…壁パネル、４ｂ…前面板、４ｃ…壁フレーム、４ｄ…上端部。
【図１】
0005816441.tif 000002
【図２】
0005816441.tif 000003
【図３】
0005816441.tif 000004
【図４】
0005816441.tif 000005
【図５】
0005816441.tif 000006
【図６】
0005816441.tif 000007